(57)【要約】【課題】画像表示装置本体の重心とそれを載置する回転台の回転中心とが大きくずれていても、画像表示装置本体が安定してスムーズに回転でき、デザインの自由度向上が図れる画像表示装置を提供する。【解決手段】固定台６に回転台７を回転自在に設け、回転台７に画像表示装置本体を載置する。モータ１２を駆動制御することによって回転台７の回転を制御する。回転台７が画像表示装置本体の後方へ配置されて、回転台７の回転中心が画像表示装置本体の重心よりも後方に位置される。回転台７の外周部上面に当接されると共に回転台７の回転に伴って転動自在なローラー２４が組み込まれた浮き規制保持板２５，２６，２７が、固定台６が固定された底板５に備えられている。【選択図】図３
2009224952.tif 000002
【特許請求の範囲】
【請求項１】
固定台の上に、被回転体が載置される回転台を左右に回転自在に設け、該回転台をモータ駆動するモータを駆動制御することによって回転台の回転を制御する回転装置において、
前記回転台が前記被回転体の後方へ配置されて、回転台の回転中心が被回転体の重心よりも後方に位置され、回転台の外周部上面に当接されると共に回転台の回転に伴って転動自在な転動体が組み込まれた浮き規制保持板が、前記固定台が固定された基台、もしくは該基台を覆う基台カバーのいずれか一方に備えられていることを特徴とする回転装置。
【請求項２】
前記浮き規制保持板は金属製とされ、前記転動体がローラーであることを特徴とする請求項１に記載の回転装置。
【請求項３】
前記浮き規制保持板は金属製とされ、前記転動体がベアリングであることを特徴とする請求項１に記載の回転装置。
【発明の詳細な説明】
【技術分野】
【０００１】
本発明は、回転台を備えた回転装置に関し、特にテレビジョン受像機やモニター等の画像表示装置に備えられる回転装置に関するものである。
【背景技術】
【０００２】
従来の画像表示装置に備えられる回転装置は、例えば、固定台に、回転自在のローラーが円周状に複数個配置され、回転片における円板の外周部下面がそれら各ローラーに支持されて回転する構造とされており、固定台を覆うスタンドカバーに円状に配置されたリブと円板の上面とは隙間が設けられていた。
【０００３】
そして、円板上には、台座等を介して支持台が取り付けられ、この支持台に画像表示装置本体が取り付けられ、各ローラーによる支持の下、画像表示装置本体がスムーズに回転できる構造とされていた（例えば、特許文献１参照）。
【０００４】
この際、円板の回転中心は画像表示装置本体の重心と可能な限り一致させ、ローラーの回転半径はデザインで支障がない限り大きくし、前記スタンドカバーの円状のリブの隙間を円板とこすれない範囲で極小とすることにより、画像表示装置本体はぐらつくことなく安定して回転できる構造とされていた。
【０００５】
【特許文献１】特開２００７−２５１７１７号公報
【発明の開示】
【発明が解決しようとする課題】
【０００６】
しかしながら、上記特許文献１に開示の回転装置によれば、円板の回転中心を画像表示装置本体の重心に対して後方へ移動し、円板を完全に画像表示装置本体の後方へ配置させ、円板前方の支持部分の形状に自由度を持たせようとする場合、画像表示装置本体の荷重により円板の後方に浮きが生じ、画像表示装置本体が傾いてしまうという問題が生じる。
【０００７】
この改善策としてスタンドカバーに円状に配置されたリブと円板の隙間を無くすことにより、円板の浮きを抑えることができるが、円板が回転する際には、リブに対して画像表示装置本体の荷重による円板の傾く力が加わりながら、リブと擦れて円板が回転するため、スムーズな回転が得られないという問題が生じる。また、そのような摩擦のため、現状より大きな回転駆動力が必要となり、減速機のモーター電圧を高くしたり、減速比を大きくすることが必要となり、設計品質に不安定要素が加わり、コストアップの要因にもなる。
【０００８】
そこで、本発明は、上記のような課題に鑑み、被回転体の重心とそれを載置する回転台の回転中心とが大きくずれていても、被回転体を安定してスムーズに回転でき、デザインの自由度向上が図れる回転装置を提供することを目的とするものである。
【課題を解決するための手段】
【０００９】
本発明は、固定台の上に、被回転体が載置される回転台を左右に回転自在に設け、該回転台をモータ駆動するモータを駆動制御することによって回転台の回転を制御する回転装置において、前記回転台が前記被回転体の後方へ配置されて、回転台の回転中心が被回転体の重心よりも後方に位置され、回転台の外周部上面に当接されると共に回転台の回転に伴って転動自在な転動体が組み込まれた浮き規制保持板が、前記固定台が固定された基台、もしくは該基台を覆う基台カバーのいずれか一方に備えられている点にある。
【発明の効果】
【００１０】
本発明の回転装置によれば、回転台が被回転体の後方へ配置されて、回転台の回転中心が被回転体の重心よりも後方に位置され、回転台の外周部上面に当接されると共に回転台の回転に伴って転動自在な転動体が組み込まれた浮き規制保持板が、固定台が固定された基台、もしくは該基台を覆う基台カバーのいずれか一方に備えられている構造とされており、回転台の回転中心と被回転体の重心が大きくずれて、被回転体の荷重により回転台に傾きが生じるような位置関係にあっても、回転台の傾きを浮き規制保持板に組み込まれた転動体で抑える構造となっており、回転台が回転する際にはその回転に伴って転動体が転動するため、従来と同様、ころがり摩擦による回転ロスしか発生しないためスムーズな回転が得られ、ここに、被回転体を安定してスムーズに回転できる。
【００１１】
そして、このような被回転体と回転台との配置関係が採用できるようになることから、回転台前方のデザインの自由度が広がり、これまで難しかったＨ型やＸ型やブーメラン型等の斬新な形状のデザインの実現が可能となる。
【発明を実施するための最良の形態】
【００１２】
＜実施の形態１＞
以下、本発明の実施の形態１を図面に基づいて説明すると、図１および図２に示されるように、回転装置としてのテレビジョン受像機やモニター等からなる画像表示装置１は、被回転体としてのＦＰＤパネルディスプレイ等からなる画像表示装置本体２と、該画像表示装置本体２を左右に所望の角度範囲で回転自在に支持するスタンド体３とから主構成されている。
【００１３】
スタンド体３は、図３ないし図５にも示されるように、所望形状に形成された基台としての金属製の底板５と、該底板５上にネジ等で固定された固定台６と、該固定台６に左右に回転自在に取り付けられた回転台７と、内部を覆うための適宜形状に形成されたスタンドカバー８を備える。
【００１４】
前記回転台７は、金属製の円板１０を備え、該円板１０の上側にはアルミ製の支柱１１が取り付けられている。また、円板１０の下側には、モータ１２と歯車列等からなるギヤボックス（減速機）１３が取り付けられている。
【００１５】
前記支柱１１には、画像表示装置本体２が取り付けられる金属製の支持台１４、および支持台１４が底から見えないようにすると共に前記モータ１２等に接続されたリード端子１５の出口を構成するためのネックカバー１６が取り付けられる構造とされている。そして、これら円板１０、支柱１１、ギアボックス１３、支持台１４、ネックカバー１６によって回転台７が構成されている。
【００１６】
回転台７、即ち円板１０の中央部が、固定台６の中央部に突設されたボス部６ａに挿入されて取り付けられる。この際、ギアボックス１３の最外歯車１７と固定台６に一体成形されたラック６ｂが噛み合わされた状態とされており、モータ１２が駆動されて最外歯車１７が回転駆動されることにより、回転台７がボス部６ａの軸心回りに左右に回転操作される構造とされている。
【００１７】
また、図３や図４に示されるように、回転台７における支柱１１は円板１０の中央部よりも前方に偏心した位置に取り付けられ、この支柱１１にネックカバー１６および支持台１４が取り付けられた構造とされている。そのため、支持台１４は回転台７の前部に配置された構造とされている。そして、図１や図２に示されるように、回転台７の支持台１４に画像表示装置本体２の背部に備えられた図示省略の取付部が挿入されて載置されることにより、回転台７に画像表示装置本体２が取り付けられ、ここに、画像表示装置本体２がスタンド体３に回転自在に支持される構造とされている。
【００１８】
この際、回転台７の前部に支持台１４が偏心配置されており、この支持台１４に画像表示装置本体２の背部の取付部が取り付けられるため、画像表示装置本体２の後方に回転台７が配置された構造となっている。
【００１９】
また、画像表示装置本体２内の制御回路に接続されているリード端子１９は、回転台７におけるモータ１２からのリード端子１５と接続されることにより、モータ１２が制御回路からの制御信号に応じて駆動制御される構造とされる。そして、モータ１２の駆動制御により回転台７の回転が制御され、ここに、回転台７に載置された画像表示装置本体２の回転が制御される。
【００２０】
図３に示されるように、前記固定台６の前半部における外周部には、回転自在に支持されたローラー２１が周方向に沿って適宜間隔を有して複数個設置されている。一方、回転台７の後方が大きくならないように、円板１０はその外周部における後部部分を周方向に沿って一部切り欠いた構造とされている。そのため、固定台６の後半部における外周部には、同様にローラー２１が設置できず、代わりにスペーサー２２を固定台６の周縁部に周方向に沿って適宜間隔を有して複数個圧入した構造とされている。なお、各スペーサー２２の表面にはグリスを塗布している。
【００２１】
そして、固定台６に取り付けられた回転台７は、円板１０の外周部で複数のローラー２１や複数のスペーサー２２により回転自在に支持され、ここに、回転台７は固定台６にスムーズに回転できるように支持される。なお、円板１０の外周部には突起１０ａが備えられており、固定台６の外周部には、円板１０の前記突起１０ａに対応した位置に、周方向に適宜間隔を有して一対のストッパ突部６ｃが上向き突出状に備えられている。そして、両ストッパ突部６ｃ間に突起１０ａが配置され、突起１０ａが各ストッパ突部６ｃに当接することにより回転台７の回転が規制され、ここに、突起１０ａが両ストッパ突部６ｃに当接する範囲の一定の回転角度で、左右に回転自在とされている。
【００２２】
図３ないし図５に示されるように、固定台６に回転台７が回転自在に取り付けられた状態で、回転台７の周囲に位置して、転動自在な転動体としてのローラー２４が組み込まれた金属製の浮き規制保持板２５，２６，２７が、底板５にネジで着脱自在に固定されている。本実施の形態では、回転台７における円板１０の後部と両側部の周方向に離隔した３箇所位置に対応して、浮き規制保持板２５，２６，２７がそれぞれ配置されている。
【００２３】
各ローラー２４は、図５に示されるように、シャフト２８を介して浮き規制保持板２５，２６，２７にそれぞれ回転自在に支持されており、浮き規制保持板２５，２６，２７が底板５に固定された状態においては、各ローラー２４が回転台７における円板１０の外周部上面に当接されると共に、回転台７の回転に伴って各ローラー２４が円板１０上を転動自在とされている。ここに、円板１０はその後方および左右両側部で、周縁部の浮きが各ローラー２４により抑えられた状態でボス部６ａ回りに回転する。
【００２４】
また、内部を覆うためのスタンドカバー８が底板５に取り付けられ、スタンドカバー８の挿通孔８ａより突出する支柱１１に、前記ネックカバー１６および支持台１４が取り付けられている。そして、ギアボックス１３内のモータ１２等に接続されたリード端子１５は、円板１０の挿通孔１０ｂおよびスタンドカバー８の挿通孔８ａを通じてネックカバー１６に導かれてネックカバー１６の所定位置に固定される。
【００２５】
そして、最終的には、支持台１４に取り付けられた画像表示装置本体２側のリード端子１９がそのリード端子１５に接続されることにより、制御回路からの制御信号によりモータ１２の駆動制御が可能な構造とされている。
【００２６】
また、本実施の形態においては、画像表示装置本体２の前方に位置するスタンドカバー８の上面には、ブーメラン形状のめっき装飾品２９が嵌め込まれた構造とされている。
【００２７】
本実施の形態は以上のように構成されており、図示省略のリモコンからの所定の操作信号が入力されると、制御回路から対応する制御信号が出力され、その制御信号に応じてモータ１２が駆動される。このモータ１２の駆動によりギアボックス１３内の歯車列を通じて最外歯車１７が回転され、回転台７と共に画像表示装置本体２が回転操作される。
【００２８】
この際、回転台７が画像表示装置本体２の後方へ配置された支持構造であるため、回転台７の回転中心と画像表示装置本体２の重心が大きくずれている。そのため、画像表示装置本体２の荷重により回転台７の後方が浮くように負荷が作用して、回転台７に傾きが生じるような位置関係にあるが、各浮き規制保持板２５，２６，２７に組み込まれた各ローラー２４が円板１０の外周部上面に当接しているため、円板１０の後方の浮きがローラー２４で有効に抑えられる。そして、回転台７が回転する際にはその回転に伴って各ローラー２４が円板１０上を転動するため、従来と同様、ころがり摩擦による回転ロスしか発生せず、スムーズな回転が得られ、ここに、画像表示装置本体２を安定してスムーズに回転できる。
【００２９】
そして、このように画像表示装置本体２の後方に回転台７が配置されるような配置関係が採用できるようになることから、回転台７前方のスタンド体３のデザインの自由度が広がり、本実施の形態のようなブーメラン形状に限らず、これまで難しかったＨ型やＸ型等の斬新な形状のデザインの実現も可能となる利点がある。
【００３０】
また、本実施の形態では、回転台７の後方をなるべく小さくするために円板１０の後方を切断しており、そのためにローラー２１を固定台６の後方へ配置できない。そこで、製品のぐらつき防止対策としてローラーの代わりとしてスペーサー２２を固定台６と円板１０の間に配置した構造とされている。
【００３１】
そして、各スペーサー２２の表面にはグリスを塗布しているため、各スペーサー２７と円板２１との接触面における摩擦抵抗が軽減され、回転台７が回転する際の摩擦ロスを軽減している。
【００３２】
＜他の実施の形態＞
また、上記の実施の形態１においては、浮き規制保持板２５，２６，２７に組み込まれる転動体として、ローラー２４を採用した構造を示しているが、ローラー２４の代わりにベアリングを浮き規制保持板２５，２６，２７に組み込む構造としてもよい。
【００３３】
この場合においても、上記実施の形態１と同様、円板１０の後方の浮きをベアリングで有効に抑えることができ、回転台７が回転する際にはその回転に伴って各ベアリングが円板１０上を転動するため、ころがり摩擦による回転ロスしか発生せず、スムーズな回転が得られ、ここに、画像表示装置本体２を安定してスムーズに回転でき、回転台７前方のスタンド体３のデザインの自由度が広がり、斬新な形状のデザインの実現も可能となる。
【００３４】
また、各実施の形態において、ローラー２４を組み込んだ浮き規制保持板２５，２６，２７を底板５に取り付けた構造と示しているが、スタンドカバー８が必要な剛性を有していれば、このような機能を有するローラー２４やベアリング等の転動体が組み込まれた浮き規制保持板２５，２６，２７をスタンドカバー８に取り付ける構造としてもよい。
【００３５】
さらに、回転装置として、テレビジョン受像機やモニター等からなる画像表示装置１を示しているが、このような画像表示装置１に何ら限定されない。
【図面の簡単な説明】
【００３６】
【図１】本発明に係る実施の形態１の画像表示装置を示す斜視図である。
【図２】同分解斜視図である。
【図３】スタンド体の分解斜視図である。
【図４】図３におけるIV−IV線断面矢視図である。
【図５】図４のＡ部の拡大図である。
【符号の説明】
【００３７】
１  画像表示装置、２  画像表示装置本体、３  スタンド体、５  底板、６  固定台、７  回転台、８  スタンドカバー、２４  ローラー、２５，２６，２７  浮き規制保持板。
【図１】
2009224952.tif 000003
【図２】
2009224952.tif 000004
【図３】
2009224952.tif 000005
【図４】
2009224952.tif 000006
【図５】
2009224952.tif 000007